(57)【要約】【課題】接続機器に応じたゲインレベル等の調整が容易なオーディオ信号処理装置及びオーディオ信号処理システムを提供する。【解決手段】マイク３は、自己の識別情報をオーディオ信号に重畳して、カラオケ装置２に出力する。カラオケ装置２は、オーディオ信号から識別情報を抽出してサーバ８に送信する。サーバ８は、予め、オーディオ信号の調整パラメータの設定情報が識別情報に応じて登録されている。サーバ８は、識別情報を受信すると、対応する設定情報を読み出して、カラオケ装置２に送信する。カラオケ装置２は、受信した設定情報に基づいてオーディオ信号の調整パラメータ（音量、周波数特性、エフェクト等）を設定する。このように、オーディオ信号処理システム（カラオケシステム１）では、どのカラオケ装置でマイク３を使用する場合でも、サーバ８から調整パラメータの設定情報を読み出して、ユーザの好みの調整パラメータに設定できる。【選択図】図３
2010152153.tif 000002
【特許請求の範囲】
【請求項１】
オーディオ信号出力装置と、オーディオ信号処理装置と、サーバ装置から成るオーディオ信号処理システムであって、
前記オーディオ信号出力装置は、識別情報を記憶する識別情報記憶手段と、前記識別情報記憶手段から読み出した識別情報をオーディオ信号に重畳して出力する識別情報重畳手段と、を備え、
前記オーディオ信号処理装置は、前記オーディオ信号出力装置が出力したオーディオ信号から前記識別情報を抽出する抽出手段と、前記識別情報をサーバ装置に送信する第１通信手段と、を備え、
前記サーバ装置は、前記オーディオ信号処理装置の識別情報に対応し前記オーディオ信号の調整パラメータを設定する設定情報を記憶する設定情報記憶手段と、前記オーディオ信号処理装置から識別情報を受信すると、この識別情報に対応する設定情報を前記オーディオ信号処理装置に送信する第２通信手段と、を備え、
前記オーディオ信号処理装置は、前記第１通信手段で、前記サーバ装置に送信した前記識別情報に対応する設定情報を前記サーバ装置から受信すると、この設定情報に応じて前記オーディオ信号の調整パラメータを設定する信号処理手段をさらに備えたことを特徴とするオーディオ信号処理システム。
【請求項２】
前記サーバ装置において、前記設定情報記憶手段は、デフォルトの設定情報を記憶し、前記第２通信手段は、前記設定情報記憶手段が前記識別情報に対応する設定情報を記憶していない場合には、前記デフォルトの設定情報を前記オーディオ信号処理装置に送信する請求項１に記載のオーディオ信号処理システム。
【請求項３】
前記オーディオ信号処理装置は、前記オーディオ信号の調整パラメータを設定及び変更する操作手段を備え、前記操作手段で前記オーディオ信号の調整パラメータが設定または変更されると、前記第１通信手段が、その調整パラメータの設定情報と前記識別情報を前記サーバ装置に送信し、
前記サーバ装置は、前記第２通信手段が、前記オーディオ信号処理装置から調整パラメータの設定情報と前記識別情報を受信すると、この設定情報と前記識別情報を関連付けて前記設定情報記憶手段に記憶させる請求項１または２に記載のオーディオ信号処理システム。
【発明の詳細な説明】
【技術分野】
【０００１】
本発明は、オーディオ信号に重畳されたオーディオ信号出力装置の識別情報に基づいて、調整パラメータの設定を自動的に行うことができるオーディオ信号処理システムに関する。
【背景技術】
【０００２】
マイクロフォンや楽器等のオーディオ信号を出力する機器は、それぞれ出力レベルや特性が異なる。そのため、これらの機器を接続したオーディオ信号処理装置では、音量や周波数特性やエフェクト等の調整パラメータの設定を個別に行う必要があり、操作が煩雑であった。そこで、オーディオ信号処理装置のひとつであるミキサ装置には、従来、チャンネルの調整パラメータを設定する操作子群の数を少なくしながら、操作性を良くしたものがあった（例えば、特許文献１参照。）。
【特許文献１】特開２００６−１００９４５号公報
【発明の開示】
【発明が解決しようとする課題】
【０００３】
しかし、オーディオ信号処理装置の設置場所を変更したり、接続するオーディオ信号出力装置を変更したりすると、通常、各種の調整パラメータを設定しなければならなかった。
【０００４】
そこで、従来のミキサ装置には、調整パラメータの設定を記憶するものもあった。しかし、同じミキサ装置を常に使用するのであれば問題にはならないが、同じ機種であっても別の場所に設置されたミキサ装置を使用する場合には、やはり各種の調整パラメータを設定しなければならなかった。
【０００５】
また、オーディオ信号処理装置のひとつであるカラオケ装置をカラオケ店で使用する際に、歌唱が上手く聞こえるように、各種調整パラメータを個別に設定するユーザがいた。また、自分専用のマイクロフォンを携行して、どのカラオケ店でも、マイクロフォンの特性が変化しないように気を配るユーザもいた。しかし、このユーザは、利用するカラオケ装置が変わる毎に、各種調整パラメータを設定しなければならず、その設定が煩わしいという問題があった。
【０００６】
そこで、本発明は、接続機器に応じた調整パラメータの設定が容易なオーディオ信号処理システムを提供することを目的とする。
【課題を解決するための手段】
【０００７】
この発明は、上記の課題を解決するための手段として、以下の構成を備えている。
【０００８】
（１）オーディオ信号処理システムでは、オーディオ信号出力装置は、自己の識別情報をオーディオ信号に重畳して、オーディオ信号処理装置に対してオーディオ信号を出力する。オーディオ信号処理装置は、オーディオ信号が入力されると、その信号に重畳された識別情報を抽出し、この識別情報をサーバ装置に送信する。サーバ装置は、識別情報に応じたオーディオ信号の調整パラメータの設定情報を予め記憶している。サーバ装置は、識別情報を受信すると、この識別情報に対応する設定情報を読み出して、オーディオ信号処理装置に送信する。オーディオ信号処理装置は、受信した設定情報に基づいてオーディオ信号の調整パラメータを設定する。オーディオ信号の調整パラメータとは、音量、周波数特性、エフェクト等である。このように、オーディオ信号処理システムでは、どのオーディオ信号処理装置でオーディオ信号出力装置を使用する場合でも、サーバ装置から調整パラメータの設定情報を読み出すことができる。したがって、ユーザは、調整パラメータを個別に設定する必要が無く、どの施設においても気軽にオーディオ信号処理装置を利用できる。
【０００９】
（２）サーバ装置は、設定情報記憶手段でデフォルトの設定情報を記憶しており、オーディオ信号出力装置の識別情報に対応する設定情報を記憶していない場合には、このデフォルトの設定情報をオーディオ信号処理装置に送信する。したがって、デフォルトの設定情報を一般的な値に設定しておくことで、オーディオ信号処理システムにおいて、初めてオーディオ信号出力装置を使用する場合でも、問題無く使用できる。
【００１０】
（３）オーディオ信号処理装置は、操作手段でオーディオ信号の調整パラメータが設定または変更されると、その調整パラメータの設定情報と識別情報をサーバ装置に送信する。また、サーバ装置は、オーディオ信号処理装置から調整パラメータの設定情報と識別情報を受信すると、この設定情報と識別情報を関連付けて設定情報記憶手段で記憶する。したがって、調整パラメータの設定情報を変更した際にもサーバ装置に記憶させることができるので、マイクを変更したり新たなマイクを購入したりした際に、新たなマイクに対応した設定情報を登録することができる。
【発明の効果】
【００１１】
本発明によれば、オーディオ信号出力装置を使用する場所にかかわらず、オーディオ信号処理装置に対してオーディオ信号の調整パラメータを自動的に設定することができ、煩雑な調整が不要である。
【発明を実施するための最良の形態】
【００１２】
まず、本発明の実施形態に係るオーディオ信号処理システムの概略の構成及び動作について説明する。オーディオ信号処理システムは、オーディオ信号出力装置と、オーディオ信号処理装置と、サーバ装置から成る。オーディオ信号出力装置は、自己の識別情報を音声透かし情報としてオーディオ信号に重畳し、オーディオ信号処理装置に対してオーディオ信号を出力する。オーディオ信号処理装置は、オーディオ信号が入力されると、その信号に重畳された識別情報（音声透かし情報）を抽出し、この識別情報をサーバ装置に送信する。サーバ装置には、予め、オーディオ信号の調整パラメータの設定情報が識別情報に応じて登録されている。サーバ装置は、識別情報を受信すると、この識別情報に対応する設定情報を読み出して、オーディオ信号処理装置に送信する。オーディオ信号処理装置は、受信した設定情報に基づいてオーディオ信号の調整パラメータ（音量、周波数特性、エフェクト等）を設定する。このように、オーディオ信号処理システムでは、どのオーディオ信号処理装置でオーディオ信号出力装置を使用する場合でも、サーバ装置から調整パラメータの設定情報を読み出すことができる。したがって、ユーザは、調整パラメータを個別に設定する必要が無く、どの施設においても気軽にオーディオ信号処理装置を利用できる。
【００１３】
次に、オーディオ信号処理システムの具体的な構成及び動作について説明する。以下の説明では、オーディオ信号処理システムの一例であるカラオケシステムについて説明する。
【００１４】
図１は、本発明の実施形態に係るカラオケシステムの概略構成を示すブロック図である。以下の説明では、オーディオ信号出力装置の一例であるマイクロフォン（以下、マイクと称する。）で収音した音声を、オーディオ信号処理装置の一例であるカラオケ装置で拡声する例について説明する。
【００１５】
カラオケシステム１は、オーディオ信号処理装置であるカラオケ装置２、オーディオ信号出力装置であるマイク３、別のマイク４が接続されたアダプタ５、及びサーバ（サーバ装置）８を備えた構成である。マイク３はカラオケ装置２の入力端子１１に、マイク４はアダプタ５を介して入力端子２１に、それぞれ接続されている。また、カラオケ装置２の出力端子６５には、スピーカ１０が接続されている。また、カラオケ装置２はインターネット７を介してサーバ８に接続されている。カラオケ装置２は、音量・周波数特性・エフェクト等のレベルを調整するスイッチやつまみを有する操作部１５・操作部２５・操作部３５・操作部６４を備えている。
【００１６】
次に、カラオケシステムの各部の詳細について説明する。まず、マイク３・マイク４及びアダプタ５について説明する。図２は、マイク及びアダプタの詳細な構成を示すブロック図である。
【００１７】
図２（Ａ）に示すように、マイク３は、収音素子７１、記憶部（識別情報記憶手段）７２、及び音声透かし重畳部（識別情報重畳手段）７３を備えている。記憶部７２は、識別情報を記憶している。記憶部７２は、マイク３の識別情報、すなわちオーディオ信号出力装置をそれぞれ区別するための情報として、マイクの機種名（型番）と製造番号（シリアル番号）を記憶している。
【００１８】
なお、記憶部７２で記憶する識別情報は、マイク３の機種名と製造番号に限らず、さらにメーカ名や製造時期等の他の情報を含んでいても良い。これにより、マイクに関する情報が増えるので、マイク３をより簡単かつ確実に識別できる。
【００１９】
また、マイク３に対して、記憶部７２が記憶する識別情報を更新・変更できる構成にしても良く、その場合には、サーバ８に調整パラメータの設定情報を登録する際などに、サーバ８からシリアル番号を割り当てて記憶部７２に記憶させるようにしても良い。
【００２０】
音声透かし重畳部７３は、記憶部７２から識別情報を読み出して音声透かしを生成し、収音素子７１が収音した音声信号に音声透かしを重畳する。そして、音声透かし重畳部７３は、音声透かしを重畳した音声信号（オーディオ信号）を不図示の出力端子を介して出力する。
【００２１】
なお、音声透かし重畳部７３及び後述するアダプタ５の音声透かし重畳部８３が生成する音声透かしは、周知の技術を用いた音声透かしに限定するものでは無く、非可聴帯域を使って音声信号に情報を重畳したものでも良い。また、識別情報としては、機種名（型番）・製造番号等を詳細に表したテキスト情報でも良いし、単にこれらの情報を数字や記号等で表したものでも良い。
【００２２】
図２（Ｂ）に示すように、アダプタ５は、マイク３のように音声透かし重畳部７３を備えていない一般的なマイク４が出力するオーディオ信号に、識別情報を重畳するための装置である。アダプタ５は、入力端子８０、入力部８１、記憶部（識別情報記憶手段）８２、音声透かし重畳部（識別情報重畳手段）８３、及び出力端子８４を備えている。入力端子８０にはマイク４が接続され、マイク４からのオーディオ信号（音声信号）が入力される。入力部８１は、マイク４の機種名（型番）や製造番号等、オーディオ信号出力装置であるマイク４の識別情報をユーザが入力するためのものである。なお、入力部８１は、不図示の操作キーにより識別情報を入力する構成であっても、パソコン等の入力機器を接続する不図示の接続部を設けて、入力機器を接続して識別情報を入力する構成であっても良い。記憶部８２は、入力部８１から入力された識別情報を記憶している。音声透かし重畳部８３は、記憶部８２から識別情報を読み出して音声透かしを生成し、マイク４が出力した音声信号に音声透かしを重畳する。そして、音声透かし重畳部８３は、音声透かしを重畳したオーディオ信号（音声信号）を、出力端子８４を介してカラオケ装置２の入力端子２１へ出力する。
【００２３】
次に、カラオケ装置２の詳細について説明する。図３は、カラオケ装置の詳細な構成を示すブロック図である。
【００２４】
カラオケ装置２は、入力調整部２Ａ・入力調整部２Ｂと、カラオケ音声生成部２Ｋと、ミキシング部２Ｍを備えている。入力調整部２Ａ・入力調整部２Ｂは同じ構成であり、以下の説明では、入力端子に接続されたオーディオ信号出力装置が異なるため、異なる動作を説明するが、いずれの入力調整部も同様の処理・動作を行うように構成されている。
【００２５】
入力調整部２Ａは、入力端子（信号入力手段）１１、音声透かし検出部（抽出手段）１２、信号処理部（信号処理手段）１３、識別情報取得部１４、及び操作部１５を備えている。また、信号処理部１３は、アンプ１３１、イコライザ１３２、及びエフェクタ１３３を備えている。
【００２６】
入力調整部２Ｂは、入力調整部２Ａと同様の構成であり、入力端子（信号入力手段）２１、音声透かし検出部（抽出手段）２２、信号処理部（信号処理手段）２３、識別情報取得部２４、及び操作部２５を備えている。また、信号処理部２３は、アンプ２３１、イコライザ２３２、及びエフェクタ２３３を備えている。
【００２７】
カラオケ音声生成部２Ｋは、データ記憶部３１、ＭＩＤＩ音源３２、アンプ３３、イコライザ３４及び操作部３５を備えている。
【００２８】
ミキシング部２Ｍは、加算器６１、信号処理部６２、パワーアンプ６３、操作部６４、及び出力端子６５を備えている。
【００２９】
また、入力調整部２Ａの識別情報取得部１４及び入力調整部２Ｂの識別情報取得部２４は、通信部（第１通信手段）５１、記憶部５２、制御部５３、及び表示部５４と通信する。
【００３０】
入力調整部２Ａにおいて、入力端子１１にはマイク３が接続されている。
【００３１】
入力調整部２Ａの音声透かし検出部１２は、マイク３が出力したオーディオ信号が入力端子１１を介して入力されると、このオーディオ信号から音声透かしを抽出して、この音声透かしに含まれる識別情報を識別情報取得部１４に出力する。また、音声透かし検出部１２は、オーディオ信号を信号処理部１３のアンプ１３１に出力する。
【００３２】
識別情報取得部１４は、音声透かし検出部１２から識別情報が入力されると、この識別情報に対応する設定情報を通信部５１から取得する。そして、識別情報取得部１４は、取得した設定情報を操作部１５に出力して、アンプ１３１・イコライザ１３２・エフェクタ１３３のそれぞれを、マイク３に適した設定に調整する。
【００３３】
操作部１５は、信号処理部１３の各部を調整する図１に示したようなボリュームやスイッチと、各ボリュームやスイッチの設定を変更する機構部（モータやソレノイド：不図示）を備えている。操作部１５は、識別情報取得部１４からの設定情報が入力されると、設定情報に応じて、アンプ１３１・イコライザ１３２・エフェクタ１３３を調整する。また、操作部１５は、通常の操作部と同様に、マニュアルでの操作も当然可能である。
【００３４】
アンプ１３１は、設定に応じてオーディオ信号のゲイン（音量）を調整する。アンプ１３１のゲインは、初期状態で所定の値（例えば−１２ｄＢ〜−∞の値）に絞られている。
【００３５】
イコライザ１３２は、設定に応じてオーディオ信号の周波数特性を補正して、加算器６１に出力する。イコライザ１３２は、初期状態ではフラットな特性に設定されている。
【００３６】
エフェクタ１３３は、オーディオ信号に対してエコーやコーラス等のエフェクト処理を行う。
【００３７】
入力調整部２Ｂの各部は、入力調整部２Ａの各部と同様に動作する。
【００３８】
カラオケ音声生成部２Ｋにおいて、データ記憶部３１はカラオケ曲のデータを記憶している。操作部３５は、データ記憶部３１、ＭＩＤＩ音源３２、アンプ３３、及びイコライザ３４を操作・制御する。すなわち、操作部３５は、データ記憶部３１からカラオケ曲を選曲したり、ＭＩＤＩ音源３２を制御して、カラオケ曲のピッチを変更したりすることができる。また、操作部３５は、アンプ３３を制御してカラオケ曲の音量（ゲイン）を調整したり、イコライザ３４を制御してオーディオ信号の周波数特性を補正したりすることができる。
【００３９】
なお、データ記憶部３１は、端子３０を介して外部の機器からカラオケ曲のデータを取得することが可能である。
【００４０】
ミキシング部２Ｍにおいて、加算器６１は、信号処理部１３・信号処理部２３・アンプ３３から出力されたオーディオ信号を加算（ミキシング）して、信号処理部６２へ出力する。
【００４１】
信号処理部６２は、出力端子６５から出力されるオーディオ信号のレベル調整するためのフェーダや、このオーディオ信号にエフェクトをかけるエフェクタなどを備えており、操作部６４による操作に応じて設定される。
【００４２】
信号処理部６２から出力されたオーディオ信号は、パワーアンプ６３に出力される。パワーアンプ６３は、オーディオ信号を増幅し、操作部６４によって設定された音量（ゲイン）で、スピーカ９から放音させる。
【００４３】
通信部５１は、識別情報取得部１４が出力した識別情報を、インターネット７を介してサーバ８に送信し、サーバ８からこの識別情報に対応する設定情報を取得し、識別情報取得部１４に出力する。また、通信部５１は、この識別情報を記憶部５２に出力して、記憶部５２にこの識別情報を記憶させる。
【００４４】
制御部５３は、カラオケ装置２の各部を制御する。また、制御部５３は、識別情報取得部１４・識別情報取得部２４から出力された信号に応じた内容を表示部５４に表示させる。
【００４５】
サーバ８は、通信部（第２通信手段）９１、記憶部（設定情報記憶手段）９２、及び制御部９３を備えている。そして、記憶部９２で、マイク３やマイク４等のオーディオ信号出力装置の機種名（型番）や製造番号等、マイクの識別情報と、これら識別情報に対応するオーディオ信号の調整パラメータの設定情報と、を関連付けて記憶している。また、記憶部９２は、オーディオ信号の調整パラメータについて、デフォルトの設定情報を記憶している。このデフォルトの設定情報は、マイクの機種毎に典型的なオーディオ信号の調整パラメータの値が設定されている。
【００４６】
サーバ８は、記憶部９２で、識別情報と設定情報を関連付けて図４に示すようにテーブル形式で記憶している。図４は、識別情報と設定情報の関係を示すテーブルである。サーバ８の記憶部９２は、識別情報として、メーカ名・機種名（型番）・製造番号（シリアル番号）を記憶している。また、設定情報として、音量、周波数特性、エフェクトの有無を記憶している。
【００４７】
例えば、Ａ社のＭ−１という機種で製造番号が００３２のマイクは、音量（ゲイン）が４、エフェクト（例えばエコー）がＯＮ、３バンドイコライザの設定が３，４，１となっている。
【００４８】
次に、入力調整部２Ｂについて説明する。入力端子（信号入力手段）２１にはアダプタ５を介してマイク４が接続されている。マイク４は、一般的なマイクであり音声透かしを重畳する構成を備えていない。そのため、マイク４をカラオケ装置２に接続してゲインやエフェクト等の設定を自動で行うためには、音声信号に音声透かしを重畳できるアダプタ５をマイク４とカラオケ装置２の間に接続する。
【００４９】
入力調整部２Ｂの音声透かし検出部（抽出手段）２２は、アダプタ５が出力したオーディオ信号が入力端子２１を介して入力されると、このオーディオ信号から音声透かしを抽出して、この音声透かしに含まれる識別情報を識別情報取得部２４に出力する。また、音声透かし検出部２２は、オーディオ信号を信号処理部２３のアンプ２３１に出力する。
【００５０】
識別情報取得部２４は、識別情報取得部１４と同様の処理・動作を行う。また、信号処理部２３及び操作部２５も、信号処理部１３及び操作部１５と同様の処理・動作を行う。信号処理部２３は、各部で調整したオーディオ信号を加算器６１に出力する。
【００５１】
なお、識別情報取得部１４・識別情報取得部２４は、入力端子１１・入力端子２１にオーディオ信号出力装置が接続されていない旨の信号を制御部５３に出力するように構成しても良い。制御部５３は、この信号を受信すると、入力端子１１・入力端子２１にオーディオ信号出力装置が接続されていないことを表示部５４に表示させる。これにより、入力端子１１・入力端子２１にオーディオ信号出力装置を接続しているのにもかかわらず接続不良が発生している場合などに、ユーザに不具合を気付かせることができる。
【００５２】
次に、カラオケシステム１の処理動作について説明する。図５は、カラオケシステムの処理動作を説明するためのフローチャートである。
【００５３】
カラオケシステム１において、初めてマイク３を使用する場合、サーバ８にはこのマイクの識別情報に対応する設定情報が登録されていない。この場合、カラオケ装置２の制御部５３は、以下のように各部を制御して、サーバ８に識別情報を送信する。すなわち、音声透かし検出部１２は、マイク３からオーディオ信号が入力されると、マイク３の識別情報を抽出する処理を行う（ｓ１）。音声透かし検出部１２は、オーディオ信号からマイク３の識別情報を抽出できない場合には（ｓ２：Ｎ）、ステップｓ１の処理を行う。一方、音声透かし検出部１２は、オーディオ信号からマイク３の識別情報を抽出できた場合には（ｓ２：Ｙ）、この識別情報を識別情報取得部１４に出力する。この識別情報は、識別情報取得部１４及び通信部５１を経由し、インターネット７を介してサーバ８に送信される（ｓ３）。
【００５４】
サーバ８の制御部９３は、マイク３の識別情報を受信すると（ｓ１１：Ｙ）、記憶部９２が設定情報を記憶しているかを確認する（ｓ１２）。制御部９３は、記憶部９２がマイク３の設定情報を記憶していない（登録されていない）場合には（ｓ１３：Ｎ）、記憶部９２からデフォルトの設定情報を読み出して送信する。また、制御部９３は、マイク３の識別情報とデフォルトの設定情報とを関連付けて記憶する（ｓ１４）。
【００５５】
また、制御部９３は、記憶部９２がマイク３の設定情報を記憶している（登録されている）場合には（ｓ１３：Ｙ）、記憶部９２から識別情報に対応する設定情報を読み出して送信する（ｓ１５）。
【００５６】
カラオケ装置２は、通信部５１がデフォルトの設定情報または識別情報に対応する設定情報を受信すると（ｓ４：Ｙ）、識別情報取得部１４を介して操作部１５にこの設定情報を送信する。操作部１５は、デフォルトの設定情報が入力されると、設定情報（調整パラメータ）に応じて、アンプ１３１・イコライザ１３２・エフェクタ１３３を自動的に調整する（ｓ５）。
【００５７】
ユーザは、自動設定に不満がある場合には、操作部１５・操作部２５・操作部３５・操作部６４を操作して、音量や周波数特性やエフェクトの設定を変更する。
【００５８】
制御部５３は、操作部１５・操作部２５・操作部３５・操作部６４のいずれかが操作されて、オーディオ信号の調整パラメータの設定情報が変更されたことを検出すると（ｓ６：Ｙ）、サーバに登録している設定情報を変更しても良いか否かを確認する内容を表示部５４に表示させる（ｓ７）。制御部５３は、設定情報を変更しても良い旨の操作を受け付けると（ｓ８：Ｙ）、マイク３の識別情報と変更された設定情報を通信部５１からサーバ８に送信させる（ｓ９）。
【００５９】
また、制御部５３は、設定情報の変更を禁止する旨の操作を受け付けると（ｓ１０：Ｎ）、サーバ８とは通信せずにステップｓ１の処理を行う。
【００６０】
サーバ８の制御部９３は、マイク３の識別情報と設定情報を受信すると（ｓ１１：Ｎ、ｓ１６：Ｙ）、記憶部９２が記憶している設定情報を破棄して、受信した識別情報と設定情報を関連付けて記憶部９２に記憶させる（ｓ１７）。そして、ステップｓ１１の処理を行う。
【００６１】
なお、カラオケ装置２の制御部５３は、ステップｓ１においてオーディオ信号の入力が無い場合には、ステップｓ６を実行し、設定情報の変更が無い場合には、ステップｓ１を行う。つまり、カラオケ装置２は、オーディオ信号が入力されるか、設定情報が変更されるまでは、待機状態である。
【００６２】
また、サーバ装置の制御部９３は、ステップｓ１１において識別情報を受信していない場合には、ステップｓ１６を実行し、識別情報及び設定情報を受信していない場合には、ステップｓ１１を行う。つまり、カラオケ装置２から情報を受信するまでは、待機状態である。
【００６３】
このように、カラオケ装置２は、識別情報に含まれる情報に応じた設定情報を信号処理部１３・信号処理部２３に設定することができるので、機器を接続するだけで自動的に最適な設定が行われる。そのため、ユーザが手動で設定を行う必要が無く、初心者であっても気軽にカラオケを楽しむことができる。また、自分専用のマイク（マイマイク）を持つヘビーユーザであっても、利用するカラオケ店舗にかかわらず、音量や周波数特性やエフェクト等の調整パラメータが自動的に設定されるので、調整パラメータの設定を気にすることなく、歌唱に集中できる。
【００６４】
なお、上記説明では、設定情報に基づいて音量や周波数特性やエフェクト等の調整パラメータを設定・変更する例を説明したが、これに限るものではなく、例えば、ＢＧＭ（カラオケ曲）の音量や曲のピッチや周波数特性などの設定をサーバ８に記憶させておくようにしても良い。これにより、カラオケ装置２の操作部３５がアンプ３３やイコライザ３４を自動的に調整して、カラオケ曲の音量やピッチを所望の値に設定するので、声が高い（低い）ユーザであっても、毎回ピッチの調整を行うことなく、気軽に歌唱できるし、ＢＧＭを常に好みの周波数特性で再生することができる。
【００６５】
なお、オーディオ信号処理装置としてはＡＶアンプやパソコン、オーディオ信号出力装置としては、ギターなどの楽器や、ＤＶＤプレーヤやチューナ等のオーディオ機器などを用いることも可能である。
【図面の簡単な説明】
【００６６】
【図１】本発明の実施形態に係るカラオケシステムの概略構成を示すブロック図である。
【図２】マイク及びアダプタの詳細な構成を示すブロック図である。
【図３】カラオケ装置の詳細な構成を示すブロック図である。
【図４】識別情報と設定情報の関係を示すテーブルである。
【図５】カラオケシステムの処理動作を説明するためのフローチャートである。
【符号の説明】
【００６７】
１…カラオケシステム    ２…カラオケ装置    ２Ａ，２Ｂ…入力調整部    ２Ｃ…カラオケ音声生成部    ２Ｍ…ミキシング部    ３，４…マイク    ５…アダプタ    ７…インターネット    ８…サーバ    １０…スピーカ
【図１】
2010152153.tif 000003
【図２】
2010152153.tif 000004
【図３】
2010152153.tif 000005
【図４】
2010152153.tif 000006
【図５】
2010152153.tif 000007